(57)【要約】      （修正有）【課題】アナログラジオ放送とＩＰラジオ放送のそれぞれが受信可能であり、それぞれの放送の受信タイミングを考慮して適切に受信切り替えを行う。【解決手段】ラジオ放送受信回路２（第１の放送データ受信部）で受信した放送データから時刻を取得する時報検出部６および内部時計／時計校正部５（第１の時刻取得部）、サーバから配信されるデータに含まれる放送時刻を取得するストリーム・タイムスタンプ取得部４（第２の時刻取得部）、内部時計／時計校正部５および時報検出部６とストリーム／タイムスタンプ取得部４とでそれぞれ取得した時刻を比較して両者の差分を算出する遅延時間算出部（差分時刻算出部）、ラジオ放送データとサーバから配信されるデータについて差分に基づいた遅延処理をおこなって両者の同期をとる遅延制御部８を備えるラジオ放送受信装置１とする。【選択図】図１
2011014994.tif 000002
【特許請求の範囲】
【請求項１】
放送局のラジオ放送データの受信が可能である第１の放送データ受信部と、
ＩＰ通信網を経由して上記ラジオ放送データと同一の内容、または上記ラジオ放送データに相当する内容のデータを配信するサーバに接続し、上記ラジオ放送データと同一の内容、または上記ラジオ放送データに相当する内容のデータの受信が可能である第２の放送データ受信部と、
上記第１の放送データ受信部で受信した放送データから時刻に関する情報を取得する第１の時刻取得部と、
上記サーバから配信されるデータに含まれる当該データの放送時刻情報を取得する第２の時刻取得部と、
上記第１の時刻取得部および上記第２の時刻取得部でそれぞれ取得した情報に基づいて上記第１の放送データ受信部で受信したラジオ放送データと、上記第２の放送データ受信部で受信したデータとの出力タイミングの差分を算出する差分時刻算出部と、
上記差分に基づいて上記第１の放送データ受信部で受信したラジオ放送データと、上記第２の放送データ受信部で受信したデータとの出力タイミングの同期をとる遅延制御部と、
を備えることを特徴とするラジオ放送受信装置。
【請求項２】
請求項１に記載のラジオ放送受信装置であって、
前記第１の時刻取得部は、
内部時計と、
前記ラジオ放送データに含まれる時報を検出する時報検出部と、
上記時報検出部により検出された時報タイミングに基づいて上記内部時計を校正する内部時計校正部と、を備え、
前記遅延制御部は、上記内部時計校正部により時刻を校正された上記内部時計から供給される現在時刻と、前記第２の時刻取得部で取得した時刻情報に基づいて、前記第１の放送データ受信部で受信したラジオ放送データと、前記第２の放送データ受信部で受信したデータとの出力タイミングの同期をとることを特徴とするラジオ放送受信装置。
【請求項３】
請求項１または２に記載のラジオ放送受信装置であって、
前記遅延制御部は、前記第２の放送データ受信部で受信したデータに含まれる当該データの放送時刻が内部時計の現在時刻より進んでいる場合には、現在時刻との差分だけ遅らせて前記第２の放送データ受信部で受信したデータを出力することを特徴とするラジオ放送受信装置。
【請求項４】
請求項１から請求項３のいずれか１項に記載のラジオ放送受信装置であって、
前記サーバから配信されたデータに含まれる所定情報に従って前記第１の放送データ受信部と前記第２の放送データ受信部とを切り替えることを特徴とするラジオ放送受信装置。
【請求項５】
放送局のラジオ放送データを受信する第１の放送データ受信ステップと、
ＩＰ通信網を経由して上記ラジオ放送データと同一の内容、または上記ラジオ放送データに相当する内容のデータを配信するサーバに接続し、上記ラジオ放送データと同一の内容、または上記ラジオ放送データに相当する内容のデータを受信する第２の放送データ受信ステップと、
上記第１の放送データ受信ステップで受信した放送データから時刻に関する情報を取得する第１の時刻取得ステップと、
上記サーバから配信されるデータに含まれる当該データの放送時刻を取得する第２の時刻取得ステップと、
上記第１の時刻取得ステップおよび上記第２の時刻取得ステップでそれぞれ取得した情報に基づいて上記第１の放送データ受信ステップで受信したラジオ放送データと、上記第２の放送データ受信ステップで受信したデータとの出力タイミングの差分を算出する差分時刻算出ステップと、
上記差分に基づいて上記第１の放送データ受信ステップで受信したラジオ放送データと、上記第２の放送データ受信ステップで受信したデータとの出力タイミングの同期をとる遅延制御ステップと、
を有することを特徴とするラジオ放送受信方法。
【請求項６】
コンピュータを、
放送局のラジオ放送データの受信が可能である第１の放送データ受信手段、
ＩＰ通信網を経由して上記ラジオ放送データと同一の内容、または上記ラジオ放送データに相当する内容のデータを配信するサーバに接続し、上記ラジオ放送データと同一内容のデータの受信が可能である第２の放送データ受信手段、
上記第１の放送データ受信手段で受信した放送データから時刻に関する情報を取得する第１の時刻取得手段、
上記サーバから配信されるデータに含まれる当該データの放送時刻を取得する第２の時刻取得手段、
上記第１の時刻取得手段および上記第２の時刻取得手段でそれぞれ取得した情報に基づいて上記第１の放送データ受信手段で受信したラジオ放送データと、上記第２の放送データ受信手段で受信したデータとの出力タイミングの差分を算出する差分時刻算出手段、
上記差分に基づいて上記第１の放送データ受信手段で受信したラジオ放送データと、上記第２の放送データ受信手段で受信したデータとの出力タイミングの同期をとる遅延制御手段、
として機能させるためのラジオ放送受信プログラム。
【発明の詳細な説明】
【技術分野】
【０００１】
本発明は、ラジオ放送受信装置、ラジオ放送受信方法、およびラジオ放送受信プログラムに関する。
【背景技術】
【０００２】
従来から放送波を受信してラジオ放送を聞くことが可能な放送受信装置と、インターネットなどのＩＰ通信網を経由して配信されるラジオ放送を受信してＩＰ放送（以下、単に「ＩＰラジオ放送」という）を聞くことが可能なＩＰラジオ放送受信装置がそれぞれ個別に知られている。放送受信装置の例として、ラジオ放送に加えて、交通情報も受信できるラジオ受信機が知られている（たとえば特許文献1参照）。また、ＩＰラジオ放送受信装置の例として、ＩＰマルチキャスト技術によりＩＰラジオ放送を受信できる受信端末も知られている（たとえば特許文献２参照）。
【０００３】
また、ラジオ放送局からの受信と、携帯電話回線を利用してラジオ設備からの受信とを受信電波又は受信情報のエラー状態に応じて適宜切り替える携帯電話用ラジオ放送システムが知られている（たとえば特許文献３参照）
【先行技術文献】
【特許文献】
【０００４】
【特許文献１】特開平８−２０４５１２号公報
【特許文献２】特開２００８−１６０１９６号公報
【特許文献３】特開２００３−１６９３８０号公報
【発明の概要】
【発明が解決しようとする課題】
【０００５】
しかしながら、ラジオ放送およびＩＰラジオ放送がそれぞれを聞くことが可能であり、受信切り替えがスムースにできる放送受信装置がない。また、ラジオ放送の受信中に、ＩＰラジオ放送へと受信を切り替える、あるいはその逆へ切り替える場合、それぞれのラジオ放送の受信タイミングによっては、ズレが生じる可能性がある。また、受信切り替え時にそのズレにより放送内容の欠落や重複が生じるという問題がある。また、受信タイミングによっては、ＩＰラジオ放送がラジオ放送よりも先に再生されてしまうという問題がある。
【０００６】
そこで、本発明は、上述した課題に鑑み、ラジオ放送とＩＰラジオ放送のそれぞれが受信可能であり、それぞれのラジオ放送の受信タイミングを考慮して適切に受信切り替えを行うことができるラジオ放送受信装置、ラジオ放送受信方法、およびラジオ放送受信プログラムを提供することを目的とする。
【課題を解決するための手段】
【０００７】
本発明の一側面であるラジオ放送受信装置は、放送局のラジオ放送データの受信が可能である第１の放送データ受信部と、ＩＰ通信網を経由してラジオ放送データと同一の内容、またはラジオ放送データに相当する内容のデータを配信するサーバに接続し、ラジオ放送データと同一の内容、またはラジオ放送データに相当する内容のデータの受信が可能である第２の放送データ受信部と、第１の放送データ受信部で受信した放送データから時刻に関する情報を取得する第１の時刻取得部と、サーバから配信されるデータに含まれる当該データの放送時刻情報を取得する第２の時刻取得部と、第１の時刻取得部および第２の時刻取得部でそれぞれ取得した情報に基づいて第１の放送データ受信部で受信したラジオ放送データと、第２の放送データ受信部で受信したデータとの出力タイミングの差分を算出する差分時刻算出部と、差分に基づいて第１の放送データ受信部で受信したラジオ放送データと、第２の放送データ受信部で受信したデータとの出力タイミングの同期をとる遅延制御部と、備えるものである。
【０００８】
また、本発明の一側面であるラジオ放送受信装置は、上述したラジオ放送受信装置の構成に加えて、第１の時刻取得部は、内部時計と、ラジオ放送データに含まれる時報を検出する時報検出部と、時報検出部により検出された時報タイミングに基づいて内部時計を校正する内部時計校正部と、を備え、遅延制御部は、内部時計校正部により時刻を校正された内部時計から供給される現在時刻と、第２の時刻取得部で取得した時刻情報に基づいて、第１の放送データ受信部で受信したラジオ放送データと、第２の放送データ受信部で受信したデータとの出力タイミングの同期をとることが好ましい。
【０００９】
また、本発明の一側面であるラジオ放送受信装置は、上述したラジオ放送受信装置の構成のいずれかに加えて、遅延制御部は、第２の放送データ受信部で受信したデータに含まれる当該データの放送時刻が内部時計の現在時刻より進んでいる場合には、現在時刻との差分だけ遅らせて第２の放送データ受信部で受信したデータを出力することが好ましい。
【００１０】
また、本発明の一側面であるラジオ放送受信装置は、上述したラジオ放送受信装置の構成のいずれかに加えて、サーバから配信されたデータに含まれる所定情報に従って第１の放送データ受信部と第２の放送データ受信部とを切り替えることが好ましい。
【００１１】
また、本発明の一側面であるラジオ放送受信方法は、放送局のラジオ放送データを受信する第１の放送データ受信ステップと、ＩＰ通信網を経由してラジオ放送データと同一の内容、またはラジオ放送データに相当する内容のデータを配信するサーバに接続し、ラジオ放送データと同一の内容、またはラジオ放送データに相当する内容のデータを受信する第２の放送データ受信ステップと、第１の放送データ受信ステップで受信した放送データから時刻に関する情報を取得する第１の時刻取得ステップと、サーバから配信されるデータに含まれる当該データの放送時刻を取得する第２の時刻取得ステップと、第１の時刻取得ステップおよび第２の時刻取得ステップでそれぞれ取得した情報に基づいて第１の放送データ受信ステップで受信したラジオ放送データと、第２の放送データ受信ステップで受信したデータとの出力タイミングの差分を算出する差分時刻算出ステップと、差分に基づいて第１の放送データ受信ステップで受信したラジオ放送データと、第２の放送データ受信ステップで受信したデータとの出力タイミングの同期をとる遅延制御ステップと、を有する。
【００１２】
また、本発明の一側面であるラジオ放送受信プログラムは、コンピュータを、放送局のラジオ放送データの受信が可能である第１の放送データ受信手段、ＩＰ通信網を経由してラジオ放送データと同一の内容、またはラジオ放送データに相当する内容のデータを配信するサーバに接続し、ラジオ放送データと同一内容のデータの受信が可能である第２の放送データ受信手段、第１の放送データ受信手段で受信した放送データから時刻に関する情報を取得する第１の時刻取得手段、サーバから配信されるデータに含まれる当該データの放送時刻を取得する第２の時刻取得手段、第１の時刻取得手段および第２の時刻取得手段でそれぞれ取得した情報に基づいて第１の放送データ受信手段で受信したラジオ放送データと、第２の放送データ受信手段で受信したデータとの出力タイミングの差分を算出する差分時刻算出手段、差分に基づいて第１の放送データ受信手段で受信したラジオ放送データと、第２の放送データ受信手段で受信したデータとの出力タイミングの同期をとる遅延制御手段、として機能させる。
【発明の効果】
【００１３】
本発明によれば、ラジオ放送とＩＰラジオ放送のそれぞれの受信が可能であり、それぞれのラジオ放送の受信タイミングを考慮して適切に受信切り替えを行うことができるラジオ放送受信装置、ラジオ放送受信方法、およびラジオ放送受信プログラムを提供することができる。
【図面の簡単な説明】
【００１４】
【図１】本発明の実施例１に係るラジオ放送受信装置の詳細を示すブロック図である。
【図２】図１に示すストリーム・タイムスタンプ取得部の詳細を示す図である。
【図３】図１に示す内部時計／時計校正部の詳細を示す図である。
【図４】図１に示す時報検出部の詳細を示す図である。
【図５】図４に示す波形整形回路およびマイコンの詳細を示す図である。
【図６】図１に示す時報検出回路の各部に、通常の放送を受信しているときの音声波形の様子を示す図である。
【図７】図１に示す時報検出回路の各部に、時報を受信しているときの音声波形の様子を示す図である。
【図８】図１に示す遅延制御部の詳細を示す図である。
【図９】図１に示す復号部の詳細を示す図である。
【図１０】図１に示す音声データ切り替え部の詳細を示す図である。
【図１１】図１に示すＤ／Ａ変換部の詳細を示す図である。
【図１２】図１に示すラジオ放送受信装置の動作を示したフローチャートである。
【図１３】ＩＰラジオ放送で配信されるデータがラジオ放送で放送されるデータより遅れている場合（図１２のステップＳ８でＹＥＳの場合）における両データの同期をとる様子を示す図である。
【図１４】ラジオ放送で放送されるデータがＩＰラジオ放送で配信されるデータより遅れている場合（図１２のステップＳ８でＮＯの場合）における両データの同期をとる様子を示す図である。
【図１５】図１２のステップＳ１１で示したＩＰラジオ放送とラジオ放送の切り替え処理例を示している。
【図１６】音声切り替え信号の一例を示す図である。
【図１７】本発明の実施例２に係るラジオ放送受信装置の詳細を示すブロック図である。
【発明を実施するための形態】
【実施例１】
【００１５】
本発明に係るラジオ放送受信装置の実施例１について、ラジオ放送受信装置１を例示して説明する。なお、ラジオ放送受信方法については、ラジオ放送受信装置１の動作として説明し、ラジオ放送受信プログラムについては他の実施例において説明することとする。
【００１６】
図１は、本発明の実施例１に係るラジオ放送受信装置１の詳細を示すブロック図である。図１に示すように、ラジオ放送受信装置１は、ラジオ放送受信回路２、データ送受信部３、ストリーム・タイムスタンプ取得部４、内部時計／時計校正部５、時報検出部６、選局部７、遅延制御部８、復号部９、音声データ切り替え部１０、入力部１１、Ｄ／Ａ変換部１２を主要な要素としている。
【００１７】
第１のデータ放送受信部としてのラジオ放送受信回路２は、アンテナを通して不図示の放送局からの放送波を受信し、受信した放送波に基づく信号を出力する。
【００１８】
第２のデータ放送受信部としてのデータ送受信部３は、不図示のＩＰ通信網と接続可能であり、不図示の放送局に対応するサーバ、または当該放送局が放送する内容と同一のデータもしくは放送局から放送される放送データに相当するデータ（以下、これらのデータを「同一のコンテンツ」という）を配信するサーバに接続し、当該サーバから放送データと同一のコンテンツのデータを受信する。また、データ送受信部３は、トランスポートストリーム形式のパケットデータ（以下、単に「トランスポートストリーム」という）をストリーム・タイムスタンプ取得部４および遅延制御部８へ出力する。
【００１９】
なお、上述したサーバは、放送局が放送する同一のコンテンツをＩＰパケットに変換して提供する、いわゆるＩＰ再送信技術を使用するものである。なお、本実施例でいう「同一のコンテンツ」には、内容的に完全な同一性を必須要件とするものではない。たとえば、ラジオ放送で提供する音声データや音楽データと共に、画像データや映像データが新たに付加されたコンテンツ群をＩＰラジオ放送として提供している場合であっても、これらを「同一のコンテンツ」として取り扱ってもよい。また、ラジオ放送で提供するコンテンツの一部のみをＩＰラジオ放送によって提供する場合であっても、これらを「同一のコンテンツ」として取り扱ってもよい。
【００２０】
第２の時刻取得部としてのストリーム・タイムスタンプ取得部４は、トランスポートストリームが入力されると、当該トランスポートストリームに含まれる表示時刻を示すＰＴＳ（Presentation  Time  Stamp）データとアダプテーションフィールドのデータを出力する。
【００２１】
第１の時刻取得部の一部としての内部時計／時計校正部５では、初期状態やユーザが時刻を合わせたいときに、不図示の時刻入力部から時刻が入力される。また、内部時計／時計校正部５では、ＰＴＳデータから得た時刻情報に基づいて内部時計５ｂ（図３参照）が設定される。また、内部時計／時計校正部５では、時報検出部６の時報情報から正確な時刻が設定される。
【００２２】
第１の時刻取得部の一部としての時報検出部６は、不図示の放送局からの放送データを受信し、時報を検出する。そして、時報検出部６は、時報のタイミングに併せてパルスを発生させ、内部時計／時計校正部５へ出力することができる。
【００２３】
選局部７は、ユーザからの選局指示を不図示の選局入力部より受け、指示された放送局を選局し、当該放送局からの放送波を受信する。選局部７は、受信した放送波に基づくアナログ信号を遅延制御部８へ出力する。
【００２４】
遅延制御部８は、選局部７から入力されたアナログ信号をデジタルデータ化する。なお、このデジタル化された音声データは、内部時計５ｂと同期して再生される。一方、データ送受信部３から出力されるトランスポートストリームは、ＰＴＳの時刻に同期して再生される。遅延制御部８から出力されたトランスポートストリームは、復号部９にてデコードされ、ラジオ放送の音声データと共に音声データ切り替え部１０に入力される。音声データ切り替え部１０では、復号部９から出力された音声データもしくは遅延制御部８から出力された音声データを入力部１１からの切り替え指示か、ストリーム・タイムスタンプ取得部４から出力される切り替え制御指示にしたがって、いずれかの音声データをＤ／Ａ変換部１２に出力する。Ｄ／Ａ変換部１２は、音声データ切り替え部１０から出力される音声データをアナログ信号に変換して再生する。なお、Ｄ／Ａ変換部１２は、トランスポートストリームに映像データが含まれている場合、当該映像データを復号部９から受け取った後に、アナログ信号に変換して再生する。
【００２５】
図２は、図１に示すストリーム・タイムスタンプ取得部４の詳細を示す図である。ストリーム・タイムスタンプ取得部４は、ＤＥＭＵＸＥＲ部４ａと、ＰＴＳ取得部４ｂとから構成される。ＤＥＭＵＸＥＲ部４ａは、データ送受信部３から出力されたトランスポートストリームが入力されると、当該トランスポートストリームからアダプテーションフィールドデータを抽出して、音声データ切り替え部１０へ出力する。また、ＤＥＭＵＸＥＲ部４ａは、トランスポートストリームからオーディオパケットを抽出してＰＴＳ取得部４ｂへ出力する。ＰＴＳ取得部４ｂは、ＤＥＭＵＸＥＲ部４ａから出力されたオーディオパケットに含まれるＰＴＳデータを抽出して、内部時計／時計校正部５および遅延制御部８へ出力する。
【００２６】
図３は、図１に示す内部時計／時計校正部５の詳細を示す図である。内部時計／時計校正部５は、時刻プリセット回路５ａと、内部時計５ｂと、秒数差分演算回路５ｃと、校正時刻設定回路５ｄとから構成される。時刻プリセット回路５ａは、ストリーム・タイムスタンプ取得部４から出力されたＰＴＳデータに基づいて時刻情報を内部時計５ｂへ出力する。内部時計５ｂは、時刻プリセット回路５ａから出力された時刻情報に基づいて、ラジオ放送受信装置１の時刻を設定する。秒数差分演算回路５ｃは、内部時計５ｂからの時刻情報と、時報検出部６から出力されるラジオ放送波に含まれる時刻情報（時報のタイミング情報）が入力されると、その差分情報を校正時刻設定回路５ｄへ出力する。内部時計校正部としての校正時刻設定回路５ｄは、差分情報に基づいて内部時計５ｂに校正した時刻を設定する。これにより、内部時計５ｂは、正確な時刻情報を遅延制御部８に出力することができる。
【００２７】
本実施例では、ＮＨＫラジオ放送の時報から正時のタイミング（たとえば正午１２時、１３時（午後１時）、１４時（午後２時）ジャストを示すタイミング）を得る場合について説明する。内部時計／時計校正部５では、初めて内部時計５ｂに時刻を設定する、あるいは時刻プリセット回路５ａの保持する時刻と内部時計５ｂの保持する時刻の間に１分以上の差がある場合、時刻プリセット回路５ａの保持する時刻を内部時計５ｂに設定する。また、本実施例では、時報検出部６から出力される時報タイミングと内部時計５ｂの正時のタイミングに１分以上の差がある場合には、時刻プリセット回路５ａの保持する時刻を内部時計５ｂに設定し、１分以上の差がない場合には、校正時刻設定回路５ｄで校正された時刻を内部時計５ｂに設定するようにしている。なお、時刻プリセット回路５ａの保持する時刻と内部時計５ｂの保持する時刻の差、時報検出部６から出力される時報タイミングと内部時計５ｂの正時のタイミングの差については、上述の１分に限られず、３０秒、４５秒などの他の数値を採用してもよい。
【００２８】
図４は、図１に示す時報検出部６の詳細を示す図である。時報検出部６は、チューナー６ａと、ＢＰＦ（Ｂａｎｄ  Ｐａｓｓ  Ｆｉｌｔｅｒ）６ｂ,６ｃと、ＢＥＦ（Ｂａｎｄ−Ｅｌｉｍｉｎａｔｅ  Ｆｉｌｔｅｒ）６ｄ,６ｅと、波形整形回路６ｆ，６ｇ，６ｈ，６ｉと、マイコン６ｊとから構成される。ここで、４４０Ｈｚおよび８８０ＨｚのＢＰＦ６ｂ,６ｃ、ＢＥＦ６ｄ,６ｅをそれぞれ用いる理由は、放送局から受信する時報を基に正確な時報タイミング（正報音のタイミング）を取得するためである。なお、これらフィルタのそれぞれの通過周波数及び通過周波数帯は、時報を得る放送局の時報の周波数特性に合わせて適宜設定する必要がある。
【００２９】
本実施例における時報は、３回の予報音と、1回の正報音により構成され、所定の周期（たとえば１時間毎）で放送される。予報音は、一定音量の４４０Ｈｚの正弦波を１００ミリ秒発振させる。そして、その後の９００ミリ秒間の無音を１セットとして正報音の３秒前から３回繰り返す。そして、正報音は、８８０Ｈｚの正弦波を発振させ、１０００ミリ秒間一定の音量に保ち、次の２０００ミリ秒で減衰する。なお、時報を構成する予報音、無音、正報音は、必ずしも上述した通りに放送されなくてもよいが、その場合には時報検出部６のマイコン６ｊでの時報検出判定アルゴリズムもその変更に併せて適宜変更する必要がある。
【００３０】
チューナー６ａは、ＡＭ放送／ＦＭ放送を選択して音声信号を受信する。ＢＰＦ６ｂは、チューナー６ａで受信した音声信号の中から所定周波数（本実施例では４４０Ｈｚ帯の周波数）の音声信号を通過させるフィルタ回路である。ＢＰＦ６ｃは、チューナー６ａで受信した音声信号の中から所定周波数（本実施例では８８０Ｈｚ帯の周波数）の音声信号を通過させるフィルタ回路である。ＢＥＦ６ｄは、チューナー６ａで受信した音声信号の中から所定周波数（本実施例では４４０Ｈｚ帯の周波数）の音声信号を取り除くフィルタ回路である。ＢＥＦ６ｅは、チューナー６ａで受信した音声信号の中から所定周波数（本実施例では８８０Ｈｚ帯の周波数）の音声信号を取り除くフィルタ回路である。波形整形回路６ｆは、ＢＰＦ６ｂで通過させた４４０Ｈｚ帯の周波数の音声信号から入力レベルを整えた矩形波に変換するための回路である。波形整形回路６ｇは、ＢＰＦ６ｃで通過させた８８０Ｈｚ帯の周波数の音声信号から入力レベルを整えた矩形波に変換するための回路である。波形整形回路６ｈは、ＢＥＦ６ｄで４４０Ｈｚ帯の周波数の音声信号を取り除いた後の音声信号から入力レベルを整えた矩形波に変換するための回路である。波形整形回路６ｉは、ＢＥＦ６ｅで８８０Ｈｚ帯の周波数の音声信号を取り除いた後の音声信号から入力レベルを整えた矩形波に変換するための回路である。波形整形回路６ｆ，６ｇ，６ｈ，６ｉで整形された矩形波は、マイコン６ｊに入力される。マイコン６ｊは、波形整形回路６ｆ，６ｇ，６ｈ，６ｉからの入力音声信号によって時報であるか否かを判定し、時報タイミングを取得する。
【００３１】
図５は、図４に示す波形整形回路６ｆおよびマイコン６ｊの詳細を示す図である。波形整形回路６ｆは、ＬＰＦ６ｆ１と、Ａ／Ｄ変換部６ｆ２とから構成される。ＬＰＦ６ｆ１は、低い周波数成分を取り出すフィルタ回路である。Ａ／Ｄ変換部６ｆ２は、ＬＰＦ６ｆ１により取り出された低い周波数成分のアナログ音声信号をデジタル音声信号に変換する。なお、装置内の処理同期をとるためにクロック発振部６ｋからクロック信号が波形整形回路６ｆとマイコン６ｊにそれぞれ供給される。
【００３２】
図６は、図４で示したＢＰＦ６ｂ,６ｃと、ＢＥＦ６ｄ,６ｅと、波形整形回路６ｆ，６ｇ，６ｈ，６ｉから出力される音声信号の状態を示す図であって、時報域以外の放送データ受信時における音声信号の状態を示している。なお、本実施例における時報域は、１０００ミリ秒以上（１０００ミリ秒以下でもよい）の無音と、３回の予報音とそれらの間の無音、正報音および当該正報音を減衰時間により構成される時間的領域を指す。なお、時報域は、必ずしも上述した設定でなくてもよいが、その場合には時報検出部６のマイコン６ｊが行う時報検出判定アルゴリズムもその変更に併せて適宜変更する必要がある。
【００３３】
図６に示すＥ１は、図４に示すＢＰＦ６ｂへ入力される音声信号の波形についての時間的遷移を示している。これをそれぞれのフィルタ回路であるＢＰＦ６ｂ,６ｃ、ＢＥＦ６ｄ,６ｅを通すと図６に示すＥ１の右側に示されるＡ１、Ｂ１、Ｃ１、Ｄ１に示す波形が得られる。そして、これらの音声信号を、波形整形回路６ｆ，６ｇ，６ｈ，６ｉを通すと矩形波Ａ２、Ｂ２、Ｃ２、Ｄ２が得られる。これらの矩形波Ａ２、Ｂ２、Ｃ２、Ｄ２をマイコン６ｊに取り込み、波形タイミングを検証する。
【００３４】
マイコン６ｊは、矩形波Ａ２の信号をトリガとし、タイマー６ｊ３でのカウントをスタートさせる。マイコン６ｊは、矩形波Ａ２の信号を検出してから９９０ミリ秒未満に再び矩形波Ａ２の信号を検出した場合、または矩形波Ａ２の信号の検出から１０００ミリ秒±１０ミリ秒以内に矩形波Ａ２の信号を検出できなかった場合、あるいは矩形波Ｃ２または矩形波Ｄ２の信号を検出し続けた場合、これらの何れの場合でも時報とは関わりがなかったと判定する。
【００３５】
続いて、時報近傍の音声信号の状態について説明する。図７は、図４で示した波形整形回路６ｆ，６ｇ，６ｈ，６ｉから出力される音声信号の状態を示す図であって、時報近傍時の音声信号の状態を示している。マイコン６ｊは、矩形波Ａ２の信号をトリガとしてタイマー６ｊ３をスタートさせる。マイコン６ｊは、矩形波Ａ２の信号を検出してから９９０ミリ秒未満に再び矩形波Ａ２の信号を検出せず、矩形波Ｂ２、Ｃ２、Ｄ２を検出しないが、矩形波Ａ２の信号を検出してから１０００ミリ秒±１０ミリ秒以内に矩形波Ａ２の信号を再び検出するという状態が２回続き、更に、最後の矩形波Ａ２の信号を検出してから１０００ミリ秒±１０ミリ秒以内に矩形波Ｂ２の信号を検出し、当該矩形波Ｂ２の信号を検出したときに矩形波Ａ２、Ｃ２、Ｄ２の信号を検出しない場合、時報を検出したと判定し、Ｅ２から時報タイミングを示す信号を出力する。なお、図７で矩形波Ｂ２の信号を検出しても、同時にＥ２から信号を出力することが実質上できない。そのため、矩形波Ｂ２の信号を検出してからＥ２を出力するまでは、数ミリ秒〜数十ミリ秒程度の遅延時間が生じることになる。これを見越して内部時計／時計校正部５の時刻補正時に、Ｅ２信号検出後の次の１秒目を例えば９５０ミリ後に合わせることにより調整するようにしてもよい。また、当該遅延時間については、圧縮ストリームの放送における符号化、復号化、送信設備による各遅延時間を考慮すると相対的に小さいため、誤差の範囲としてもよい。
【００３６】
図７に示すように、マイコン６ｊは、９時５９分５７秒において矩形波Ｂ２、Ｃ２、Ｄ２の信号を検出せず、矩形波Ａ２の信号のみを検出し、当該検出時から１０００ミリ秒±１０ミリ秒以内に矩形波Ａ２の信号のみを検出するという状態が９時５９分５８秒、９時５９分５９秒と２回続き、最後の矩形波Ａ２の信号を検出してから１０００ミリ秒±１０ミリ秒以内に矩形波Ｂ２を検出し、かつ矩形波Ａ２、Ｃ２、Ｄ２の信号を検出していない状態であるため、矩形波Ｂ２の検出とほぼ同時となる１０時００分００秒のタイミング（数ミリ秒〜数十ミリ秒の遅延時間の誤差あり）でＥ２の検出信号を出力している。
【００３７】
以上の通り、本実施例の時報の場合には、予告音から約１秒後に次の予告音の波形のみが矩形波Ａ２の信号として検出されるはずなので、予告音を検出してから９９０ミリ秒未満に再び矩形波Ａ２の信号を検出する、または予告音を検出してから１０００ミリ＋１０ミリ秒を超えて矩形波Ａ２の信号を検出したときは時報以外の音声データであると判定している。また、時報の場合には検出される４４０Ｈｚの波形のみが検出されるはずであるが、時報以外の通常の音声データでも４４０Ｈｚの波形が検出されることがあるため、４４０Ｈｚ以外、８８０Ｈｚ以外の成分の出力可否を矩形波Ｃ２，Ｄ２の信号の検出有無で判定して時報の検出を行っている。
【００３８】
図８は、図１に示す遅延制御部８の詳細を示す図である。遅延制御部８は、ＰＴＳと内部時計５ｂを合わせるようにラジオ放送の音声データとトランスポートストリームの映像・音声データの同期をとるように時刻が先行するデータをバッファリングし、遅らせて出力するようにしている。なお、遅延制御部８は、データ送受信部３から得たデータについて、復号部９でのデコード時間を考慮して遅延時間を算出している。
【００３９】
図８に示す遅延制御部８は、遅延時間算出部８ａと、遅延時間設定部８ｂ,８ｃと、トランスポートストリーム遅延バッファ８ｄと、音声データ遅延バッファ８ｅと、Ａ／Ｄコンバータ８ｆとから構成される。
【００４０】
差分時刻算出部としての遅延時間算出部８ａは、ストリーム・タイムスタンプ取得部４のＰＴＳ取得部４ｂから出力されるＰＴＳ情報と、内部時計／時計校正部５の内部時計５ｂから出力される現在時刻情報とに基づいて遅延時間を算出する。遅延時間算出部８ａは、算出した遅延時間情報を遅延時間設定部８ｂ,８ｃへそれぞれ出力する。遅延時間設定部８ｂは、トランスポートストリーム遅延バッファ８ｄに遅延時間を設定し、遅延時間設定部８ｃは、音声データ遅延バッファ８ｅに遅延時間を設定する。トランスポートストリーム遅延バッファ８ｄは、データ送受信部３から出力されたトランスポートストリームを遅延時間設定部８ｂで設定された遅延時間に従って、復号部９へ出力する。一方、音声データ遅延バッファ８ｅは、ラジオ放送受信回路２、選択部７を介して入力されるラジオ放送データを、遅延時間設定部８ｃで設定された遅延時間に従って、Ａ／Ｄコンバータ８ｆでデジタル化した音声データを音声データ切り替え部１０へと出力する。
【００４１】
図９は、図１に示す復号部９の詳細を示す図である。復号部９は、ＤＥＭＵＸＥＲ部９ａと、ビデオデコーダ９ｂと、オーディオデコーダ９ｃとから構成される。ＤＥＭＵＸＥＲ部９ａは遅延制御部８のトランスポートストリーム遅延バッファ８ｄから出力されたトランスポートストリームからビデオデータとオーディオデータとをそれぞれ抽出すると共に、ビデオデータについてはビデオデコーダ９ｂへ出力し、オーディオデータについてはオーディオデコーダ９ｃへ出力する。そして、ビデオデコーダ９ｂは、ビデオデータを所定の方式にて再生可能なデジタル信号へと復号すると共に、当該デジタル信号をＤ／Ａ変換部１２へと出力する。一方、オーディオデコーダ９ｃは、再生可能なデジタル音声信号へ復号すると共に、音声データ切り替え部１０へと出力する。
【００４２】
図１０は、図１に示す音声データ切り替え部１０の詳細を示す図である。音声データ切り替え部１０は、音声信号切り替え器１０ａと、制御信号切り替え回路１０ｂと、切り替え制御信号発生回路１０ｃとから構成される。
【００４３】
音声データ切り替え部１０は、トランスポートストリームのアダプテーションフィールドに含まれる切り替え指示またはユーザの切り替え指示に従って音声を切り替える。具体的には、音声信号切り替え器１０ａは、ＩＰラジオ放送か、またはラジオ放送からの音声データをＤ／Ａ変換部１２へ出力する。制御信号切り替え回路１０ｂは、後述する切り替え制御信号発生回路１０ｃから切り替え制御信号が生成されると、そのまま音声信号切り替え器１０ａへ通知する。しかし、制御信号切り替え回路１０ｂは、入力部１１からの切り替え指示があると、切り替え制御信号発生回路１０ｃからの切り替え制御信号を遮断し、入力部１１からの切り替え制御信号を音声信号切り替え器１０ａへ通知する切り替え回路である。切り替え制御信号発生回路１０ｃは、ストリーム・タイムスタンプ取得部４から出力されたアダプテーションフィールドデータに含まれる切り替え指示をトリガとして、切り替え制御信号を発生させる回路である。
【００４４】
図１１は、図１に示すＤ／Ａ変換部１２の詳細を示す図である。Ｄ／Ａ変換部１２は、映像Ｄ／Ａコンバータ１２ａと音声Ｄ／Ａコンバータ１２ｂとから構成される。映像Ｄ／Ａコンバータ１２ａは、復号部９のビデオデコーダ９ｂから出力されるデジタル信号をアナログ信号へ変換するコンバータである。音声Ｄ／Ａコンバータ１２ｂは、音声データ切り替え部１０の音声信号切り替え器１０ａから出力されるデジタル信号をアナログ信号へ変換するコンバータである。
【００４５】
続いて、ラジオ放送受信装置１の動作について説明する。図１２は、図１に示すラジオ放送受信装置１の動作を示したフローチャートである。
【００４６】
ラジオ放送受信装置１の電源ＯＮになると処理を開始する（ＳＴＡＲＴ）。そして、ラジオ放送受信装置１は、ラジオ地上波放送受信処理を開始する（ステップＳ１）。ラジオ放送受信装置１は、選局部７を用いて所望の放送局へチューニングする（ステップＳ２）。ラジオ放送受信装置１は、ＩＰラジオ放送に対応しているラジオ局が選局されたか否かを判定する（ステップＳ３）。ラジオ放送受信装置１は、選局された場合（ステップＳ３でＹＥＳ）にはステップＳ４の処理へ移行し、選局されなかった場合（ステップＳ３でＮＯ）には処理を終了する。
【００４７】
ラジオ放送受信装置１は、ステップＳ４においてデータ送受信部３で当該ラジオ局放送波の受信を開始する。そして、ラジオ放送受信装置１は、インターネット接続を開始し（ステップＳ５）、サーバとの通信接続処理が完了すると、当該サーバからパケットの受信を開始する（ステップＳ６）。そして、ラジオ放送受信装置１の遅延制御部８は、ストリーム・タイムスタンプ取得部４によりパケットに含まれるＰＴＳ情報を取得すると共に、内部時計／時計校正部５より現在時刻情報を取得し、遅延時間算出部８ａによりそれらを比較してその差分時間を得る（ステップＳ７）。
【００４８】
遅延制御部８は、ＩＰラジオ放送の方がラジオ放送より受信タイミングが遅いか否かを判定する（ステップＳ８）。具体的には、受信したパケットに含まれるＰＴＳの時刻情報と現在時刻を比較し、ＰＴＳの示す時刻が内部時計５ｂから取得した時刻より進んでいる場合には、受信タイミングが早いと判定し、ＰＴＳの示す時刻が内部時計５ｂから取得した時刻より遅れている場合には受信タイミングが遅いと判定する。遅延制御部８は、受信タイミングが遅い場合（ステップＳ８でＹＥＳ）には、ステップＳ９へ処理を移行し、受信タイミングが早い場合（ステップＳ８でＮＯ）には、ステップＳ１０の処理へ移行する。
【００４９】
遅延処理部８は、Ａ／Ｄコンバータ８ｆを介してデジタル化された音声データの再生タイミングについて、音声データ遅延バッファ８ｅを使用して差分時間だけ遅らせる（ステップＳ９）。一方、遅延処理部８は、ＩＰラジオ放送からの音声データの再生タイミングについて、トランスポートストリーム遅延バッファ８ｄを使用して差分時間だけ遅らせる（ステップＳ１０）。
【００５０】
音声データ切り替え部１０は、ステップＳ９またはステップＳ１０の処理が完了すると、放送波からの音声と、ＩＰラジオ放送からの音声を入力部１１からの切り替え指示やトランスポートストリームに含まれる制御信号に基づいて切り替え、Ｄ／Ａ変換部１２へ出力する（ステップＳ１１）。なお、ＩＰラジオ放送からの映像データがある場合には、復号部９から映像データがＤ／Ａ変換部１２へ出力される。そして、ラジオ放送受信装置１は、映像および／または音声の再生処理を完了する（ＥＮＤ）。
【００５１】
図１３は、ＩＰラジオ放送で配信されるデータがラジオ放送で放送されるデータより遅れている場合（図１２のステップＳ８でＹＥＳの場合）における両データの同期をとる様子を示す図である。
【００５２】
図１３（１）に示す時刻関係の説明図では、アンテナで受信したラジオ放送データがＩＰ通信網を経由して受信したパケットのＰＴＳの時刻情報より早い場合を示している。図１３（２）では、アンテナで受信したラジオ放送の音声データを、音声データ遅延バッファ８ｅを使用して遅らせ、ＩＰラジオ放送からの音声データの出力タイミングと同期をとる様子を示している。
【００５３】
図１３（２）の下段に示すように、ある放送データの再生タイミング（Ｔ１）は、ＩＰ通信網を経由して受信した同一内容のデータの再生タイミング（Ｔ２）より約３秒半早いことを示している。この場合、遅延制御部８は、音声データ遅延バッファ８ｅを使用してラジオ放送の音声データを３秒半程度遅らせ、ＩＰ通信網を経由して受信した同一内容のデータの再生タイミング（Ｔ２）と同一のタイミングで出力することにより両放送データを同期させている。
【００５４】
図１４は、ラジオ放送で放送されるデータがＩＰラジオ放送で配信されるデータより遅れている場合（図１２のステップＳ８でＮＯの場合）における両データの同期をとる様子を示す図である。
【００５５】
図１４（１）に示す時刻関係の説明図では、アンテナで受信した放送データがＩＰパケットのＰＴＳ情報より遅い場合を示している。図１４（２）の下段に示すように、ＩＰ通信網から受信しているあるＩＰラジオ放送からの音声データの再生タイミング（Ｔ３）は、同一内容の放送データの再生タイミング（Ｔ４）より約１秒半早いことを示している。この場合、遅延制御部８は、トランスポートストリーム遅延バッファ８ｄを使ってトランスポートストリームの出力を１秒半程度遅らせ、アンテナで受信した放送データの再生タイミング（Ｔ４）と同一のタイミングで出力することにより両放送データを同期させている。
【００５６】
図１５は、図１２のステップＳ１１に示すＩＰ通信網からの受信とアンテナで受信したラジオ放送の切り替え処理例を示している。図１５に示すように、ＩＰ通信網から受信したデータをフェードアウトさせつつ、アンテナで受信したデータをフェードインさせる（双方の音声をクロスフェードさせる）ことで、滑らかに繋げるようにした状態を示している。すなわち、切り替え時点で、一方の音声を徐々に減衰させ、もう一方の音声については徐々にレベルアップするように制御している。
【００５７】
図１６は、アダプテーションフィールドに設定された音声切り替え信号のデータ内容を示している。「data_length」は、自身を含まないこの音声切り替え信号自体のデータ長を表しており、ここでは３バイト（２４ビット）に固定して設定されている。なお、データ長は３バイトに限られず、他のバイト長に固定して設定されていてもよい。また、「cross_fade_on」は、クロスフェードの開始するか否かの情報を示している。たとえば、開始点では0001bが設定され、それ以外のパケットでは0000bが設定される。「cross_fade_direction」は、各音声レベルの調整内容を示している。たとえば、「cross_fade_direction」が0000bであれば、ラジオ放送の音声を下げ、ＩＰラジオ放送の音声のレベルを上げる。また、「cross_fade_direction」が、0001bであれば、ＩＰラジオ放送の音声レベルを下げ、ラジオ放送の音声レベルを上げる制御を行う。また、「cross_fade_direction」が、0010bであれば現在の音声の選択状態を反対にする制御を行う。なお、「cross_fade_time」は、クロスフェードの切り替え所要時間を示している。なお、「Mnemonic」に記載している「uimsbf」は「unsigned integer, most significant bit first」を意味し、「bslbf」は、「bit string, left bit first」を意味する。
【実施例２】
【００５８】
続いて、本発明の実施例２を説明する。図１７は、本発明の実施例２に係るラジオ放送受信装置１Ａの詳細を示すブロック図である。図１７の内容は、図１の内容とほぼ同様であるが、ＩＰラジオ放送からのデータを復号部９でデコードした後で、遅延制御部８の音声データ遅延バッファおよびビデオ用遅延バッファ（いずれも不図示）に入力する方法を採用したものである。このような構成とすると、復号部９でのデコード処理がなされたデジタル信号について遅延制御部８で遅延制御を行う。したがって、遅延制御部８は、実施例１ではデコード処理時間を事前に考慮した遅延制御をしていたが、実施例２の場合にはデコード処理時間を考慮せずに遅延制御を行なうことができる。
【００５９】
上述したように本発明の一実施例であるラジオ放送受信装置１、１Ａは、放送局のラジオ放送データの受信が可能であるラジオ放送受信回路２（第１の放送データ受信部）と、ＩＰ通信網を経由してラジオ放送データと同一の内容、またはラジオ放送データに相当する内容のデータを配信するサーバに接続し、ラジオ放送データと同一の内容、またはラジオ放送データに相当する内容のデータの受信が可能であるデータ送受信部３（第２の放送データ受信部）と、ラジオ放送受信回路２（第１の放送データ受信部）で受信した放送データから時刻に関する情報を取得する時報検出部６および内部時計／時計校正部５（第１の時刻取得部）と、サーバから配信されるデータに含まれる当該データの放送時刻情報を取得するストリーム・タイムスタンプ取得部４（第２の時刻取得部）と、時報検出部６および内部時計／時計校正部５（第１の時刻取得部）およびストリーム・タイムスタンプ取得部４（第２の時刻取得部）でそれぞれ取得した情報に基づいてラジオ放送受信回路２（第１の放送データ受信部）で受信したラジオ放送データと、データ送受信部３（第２の放送データ受信部）で受信したデータとの出力タイミングの差分を算出する遅延制御部８に含まれる遅延時間算出部８ａ（差分時刻算出部）と、当該差分に基づいてラジオ放送受信回路２（第１の放送データ受信部）で受信したラジオ放送データと、データ送受信部３（第２の放送データ受信部）で受信したデータとの出力タイミングの同期をとる遅延制御部８と、を備える。
【００６０】
これにより、ラジオ放送受信装置１、１Ａは、ラジオ放送とＩＰラジオ放送のそれぞれの受信が可能であり、それぞれのラジオ放送の受信タイミングを考慮して適切に受信切り替えを行うことができる。また、ラジオ放送を受信中にＩＰラジオ放送が開始された場合に、出力される音声をラジオ放送からＩＰラジオ放送へとシームレスに切り替えることが可能となる。また、ＩＰラジオ放送を受信中に、当該ＩＰラジオ放送が終了または受信不可能となっても、シームレスにラジオ放送へ切り替えることが可能となる。
【００６１】
また、本発明の一実施例であるラジオ放送受信装置１、１Ａは、上述の構成に加えて、第１の時刻取得部は、内部時計５ｂと、ラジオ放送データに含まれる時報を検出する時報検出部６と、時報検出部６により検出された時報タイミングに基づいて内部時計５ｂを校正する内部時計校正部５と、を備え、遅延制御部８は、内部時計校正部５により時刻を校正された内部時計５ｂから供給される現在時刻と、ストリーム・タイムスタンプ取得部４（第２の時刻取得部）で取得した時刻情報に基づいて、ラジオ放送受信回路２（第１の放送データ受信部）で受信したラジオ放送データと、データ送受信部３（第２の放送データ受信部）で受信したデータとの出力タイミングの同期をとっている。
【００６２】
これにより、ラジオ放送受信装置１、１Ａは、上述した効果に加えて、ユーザが手動で設定した時刻などと比較してより正確な時刻情報に基づいてラジオ放送およびＩＰラジオ放送の出力タイミングについての同期をとることができる。
【００６３】
また、本発明の一実施例であるラジオ放送受信装置１、１Ａは、上述のいずれかの構成に加えて、遅延制御部８は、データ送受信部３（第２の放送データ受信部）で受信したデータに含まれる当該データの放送時刻が内部時計５ｂの現在時刻より先の時刻の場合には、現在時刻との差分だけ遅らせてデータ送受信部３（第２の放送データ受信部）で受信したデータを出力している。
【００６４】
これにより、ラジオ放送受信装置１、１Ａは、上述した効果に加えて、サーバから配信されたデータに含まれる放送時刻が現在時刻より先の場合、つまり、予定放送時刻より早くパケットを受信している場合であっても、現在時刻との差分だけ遅らせてＩＰラジオ放送を出力することができる。
【００６５】
また、本発明の一実施例であるラジオ放送受信装置１、１Ａは、上述のいずれかの構成に加えて、サーバから配信されたデータに含まれる所定情報に従ってラジオ放送受信回路２（第１の放送データ受信部）とデータ送受信部３（第２の放送データ受信部）とを切り替える。
【００６６】
これにより、ラジオ放送受信装置１、１Ａは、上述した効果に加えて、ＩＰラジオ放送で配信されるデータに含まれる情報に基づいて自動的にラジオ放送へと切り替えることができる。
【００６７】
また、本発明の一実施例であるラジオ放送受信装置１、１Ａの放送受信方法は、放送局のラジオ放送データを受信する第１の放送データ受信ステップと、ＩＰ通信網を経由してラジオ放送データと同一の内容、またはラジオ放送データに相当する内容のデータを配信するサーバに接続し、ラジオ放送データと同一の内容、またはラジオ放送データに相当する内容のデータを受信する第２の放送データ受信ステップと、第１の放送データ受信ステップで受信した放送データから時刻に関する情報を取得する第１の時刻取得ステップと、サーバから配信されるデータに含まれる当該データの放送時刻を取得する第２の時刻取得ステップと、第１の時刻取得ステップおよび第２の時刻取得ステップでそれぞれ取得した情報に基づいて第１の放送データ受信ステップで受信したラジオ放送データと、第２の放送データ受信ステップで受信したデータとの出力タイミングの差分を算出する差分時刻算出ステップと、差分に基づいて第１の放送データ受信ステップで受信したラジオ放送データと、第２の放送データ受信ステップで受信したデータとの出力タイミングの同期をとる遅延制御ステップと、を有する。
【００６８】
これにより、ラジオ放送受信装置１、１Ａの放送受信方法は、ラジオ放送とＩＰラジオ放送のそれぞれの受信が可能であり、それぞれのラジオ放送の受信タイミングを考慮して適切に受信切り替えを行うことができる。
【００６９】
また、本発明の一実施例であるラジオ放送受信装置１、１Ａの各部をソフトウェアにより実現することもできる。すなわち、コンピュータにインストールされる放送受信プログラムは、当該コンピュータを、放送局のラジオ放送データの受信が可能である第１の放送データ受信手段、ＩＰ通信網を経由してラジオ放送データと同一の内容、またはラジオ放送データに相当する内容のデータを配信するサーバに接続し、ラジオ放送データと同一内容のデータの受信が可能である第２の放送データ受信手段、第１の放送データ受信手段で受信した放送データから時刻に関する情報を取得する第１の時刻取得手段、サーバから配信されるデータに含まれる当該データの放送時刻を取得する第２の時刻取得手段、第１の時刻取得手段および第２の時刻取得手段でそれぞれ取得した情報に基づいて第１の放送データ受信手段で受信したラジオ放送データと、第２の放送データ受信手段で受信したデータとの出力タイミングの差分を算出する差分時刻算出手段、差分に基づいて第１の放送データ受信手段で受信したラジオ放送データと、第２の放送データ受信手段で受信したデータとの出力タイミングの同期をとる遅延制御手段、として機能させる。
【００７０】
これにより、当該放送受信プログラムをインストールされたコンピュータは、ラジオ放送受信装置１、１Ａと同様にラジオ放送とＩＰラジオ放送のそれぞれの受信が可能であり、それぞれのラジオ放送の受信タイミングを考慮して適切に受信切り替えを行うことができる。
【００７１】
以上、ラジオ放送受信装置１、１Ａを本発明の一実施例として説明したが、本発明は、これに限定されるものではなく発明の要旨を逸脱しない範囲において種々の変形や変更が可能である。
【００７２】
たとえば、ラジオ放送受信装置１、１Ａの構成に加えて、遅延制御部８での遅延時間を表示する表示部（不図示）を備えるようにしてもよい。たとえば、リスナー参加型番組をＩＰラジオ放送で受信し、かつ当該番組では電話を用いたリアルタイム性が要求されるような場合に、リスナーであるユーザに対してラジオ放送とＩＰラジオ放送との遅延時間を提示することが可能となる。遅延時間を提示されたユーザは、自分が電話で発言した内容に対する当該番組のパーソナリティからの応答がどのくらいの所要時間で返答されるのかがある程度予想可能となる。これにより、リスナーであるユーザは、遅延時間によるパーソナリティからの回答の遅延によるストレスを感じることが緩和される。また、当該番組のパーソナリティと、リスナーであるユーザとの会話が、遅延により噛み合わなくなったり、重なったりすることなく円滑に進められる可能性も高まる。
【符号の説明】
【００７３】
１、１Ａ・・・ラジオ放送受信装置、２・・・ラジオ放送受信回路（第１の放送データ受信部）、３・・・データ送受信部（第２の放送データ受信部）、４・・・ストリーム・タイムスタンプ取得部（第２の時刻取得部）、５・・・内部時計／時計校正部（第１の時刻取得部の一部）、５ｂ・・・内部時計、５ｄ・・・校正時刻設定回路（内部時計校正部）、６・・・時報検出部（第１の時刻取得部の一部）、７・・・選局部、８・・・遅延制御部、９・・・復号部、１０・・・音声データ切り替え部、１２・・・Ｄ／Ａ変換部
【図１】
2011014994.tif 000003
【図２】
2011014994.tif 000004
【図３】
2011014994.tif 000005
【図４】
2011014994.tif 000006
【図５】
2011014994.tif 000007
【図６】
2011014994.tif 000008
【図７】
2011014994.tif 000009
【図８】
2011014994.tif 000010
【図９】
2011014994.tif 000011
【図１０】
2011014994.tif 000012
【図１１】
2011014994.tif 000013
【図１２】
2011014994.tif 000014
【図１３】
2011014994.tif 000015
【図１４】
2011014994.tif 000016
【図１５】
2011014994.tif 000017
【図１６】
2011014994.tif 000018
【図１７】
2011014994.tif 000019